(57)【特許請求の範囲】
【請求項１】
板バネの先端に卓球ボールを設け、板バネの基端を練習台に固定した卓球練習器に於いて、卓球ボールの中心軸に穴をあけてボール保持具に取付け、そのボール保持具は、２枚重ねた板バネの先端に設けた保持具ガイドに入れて、打球時に、板バネの振れと回転した卓球ボールが同じ方向になり、回転した卓球ボールが取り付けられたボール保持具も保持具ガイドによってスライドする卓球練習器。
【発明の詳細な説明】
【技術分野】
【０００１】      本発明は、卓球練習器具に関する。
【背景技術】
【０００２】  卓球練習機は、練習をする人が卓球台を挟んだ反対側に設置して行なうものがある（例えば特許文献１参照）。これらは、仮想相手が打球したように練習者に向けてボールを送り出す練習機であり、実戦さながらの上回転・下回転・横回転等のあらゆるボールの打球練習や、身体を移動してから打球するフットワークの練習が可能である。また、１人で行う練習器具もある（例えば特許文献２や特許文献３や特許文献４参照）。
【先行技術文献】
【特許文献】
【０００３】
【特許文献１】  特公昭６３−００９８７１
【特許文献２】  実登３０９７８２４
【特許文献３】  実開平０４−０４７４７５
【特許文献４】  実開平０１−０２８６７５
【発明の概要】
【発明が解決しようとする課題】
【０００４】  以上のような卓球練習機は、実戦練習として優れているが、卓球台や練習機を置く場所や練習機を動かす動力や多数のボールやネット等が必要だった。安価にして１人で簡便に練習が出来ない。また、１人で簡便に、停止しているボールを打つ練習器具もあるが、打球ボールの位置の復元方法や打球感覚を掴む手段として、錘やスプリングバネやゴム等を使用していて、板バネを利用したものが無かった。
【課題を解決するための手段】
【０００５】  １人で安価で簡便に練習出来る事を目的に、卓球台や動力は使わずに、停止ボールを打つ事にし、打球ボールの位置の復元と打球感覚を掴む手段としては、帯状の板バネ（以下板バネとする）を利用する。【０００６】  板バネの先端にボールを設け、板バネの下部を板バネ下部保持具で固定した打球構造部を台のポストに固定して、台をボールが身体の前に来ている状態にして置いて、打球練習とフットワーク練習をする。【０００７】  板バネの復元力を利用するので、ボールと板バネは、打球した方向に振れるように台に取付ける。【０００８】  打球感覚が掴めるように、板バネの先端のボールは、上下回転が可能で上下動が出来るようにし、かつ、上下動した時にボールが板バネの先端から脱落しないようにする。【０００９】  振れ幅が調整出来るように、板バネの下端部の保持具は、上部は下部より広くし、かつ、板バネの復元力の微調整用の板バネも挟めるようにする。【００１０】  上下回転や横回転の打球練習を可能にする為、板バネの角度を変えられるように板バネの下端部の保持具を上下位置や角度調整が可能な調整板に固定し、それを、練習に適した角度になるように台のポストに取付ける。【００１１】  台は、持ち運び可能で倒れないような構造としてポストを設け、ポストには、身長に合うように、又、高い球や低い球の打球練習が出来るように、又、前項の調整板を取付けられるような構造にする。
【発明の効果】
【００１２】  本発明は、板バネの復元力により、打球ボールの位置の復元を継続して可能とし、かつ、ボールが上下動出来るので実戦で打球した時の感覚が掴める。【００１３】  本発明は、板バネの復元力により、打球後に前後する動きのあるボールを打球する練習も出来る。【００１４】  本発明は、卓球台を置けない狭い場所でも動力源が無くても、打球練習やフットワーク練習が、屋外でもリビングルームでも和室でも１人で出来る。【００１５】  本発明は、打球するボールの前後左右上下位置が固定出来るので、ボールと打球時の足の位置を調整する事で正しいフォームが掴める事から、その打球練習を繰返す事で正しいフォームを身に付けられる。【００１６】  本発明は、打球するボールの位置が固定出来る事から、１〜２歩離れた場所にいて移動してから打球するフットワークの練習が出来る。【００１７】  本発明は、打球時のボールの回転がその場で見られるので、打球の回転速度の変化の練習が容易に出来る。【００１８】  本発明は、打球するボールの位置が固定出来る事から、ボールがラケットに当たる瞬間を見られるので、実戦に於いて打球する時にボールから目を離さない練習が出来る。【００１９】  本発明は、打球するボールの位置が固定出来る事から、ラケットがボールに当たる迄の、腕や足や胴体や頭の動き、そして目の動きをスローモーションのように分解しながら練習が出来る。
【図面の簡単な説明】
【００２０】
【図１】  練習器の全体の斜視図
【図２】  ボールと板バネ上部の斜視図
【図３】  ［図２］におけるＡ−Ａ線の断面図
【図４】  板バネ下部と上下＆角度調整板とポストの斜視図
【図５】  ［図４］におけるＢ−Ｂ線の断面図
【図６】  使用図＝上回転の打球練習
【図７】  使用図＝下回転（ツッツキ）の打球練習
【図８】  使用図＝下回転（カット）の打球練習
【図９】  使用図＝横回転の打球練習
【発明を実施するための形態】
【００２１】  以下、本発明の実地の形態を図１〜図９に基づいて説明する。
【００２２】  卓球ボール１の中心軸に穴３をあけて、穴３の周囲を穴補強材２で補強し、ボール保持具４を取付けて、そのボール保持具４を保持具ガイド６に入れる。
【００２３】  ボール保持具４の下端には、ストッパー９を設ける。
【００２４】  ２枚の板バネ８と８を重ねて、先端に板バネとガイド取付金具５と５を取付ける。
【００２５】  板バネ下部Ａ保持具１１と板バネ下部Ｂ保持具１２からなる板バネ下部保持具は、下端は閉じて上端は広くする。
【００２６】  ２枚の板バネ８と８の下部は、板バネ下部保持具に差込み、板バネ下部抜け落ち防止ビスナット１３で止める。
【００２７】  板バネ下部保持具は、上下回転の打球練習に合わすための複数個の角度調整穴１５とポスト取付け用の２個の穴を設けた構造の調整板１４に固定する。
【００２８】  横回転ボールの練習には、板バネ下部保持具を板バネの幅方向に対して９０度回してから横回転用補助具２２に取付けて、調整板１４に取付ける。
【００２９】  復元力の微調整は、復元力微調整用板バネ１０と１０を、板バネ下部Ａ保持具１１と板バネ下部Ｂ保持具１２と板バネ８の間に差込む。
【００３０】  台１９は、持ち運び可能で錘２３を使って倒れないような構造として、調整板１４を取付ける為の上下位置調整取付け穴２１を複数個設けたポスト２０を設け、調整板１４を練習に合った角度と高さに合わせてポスト２０に取付ける。
【符号の説明】
【００３１】  １  ボール
２  ボール穴補強材
３  穴
４  ボール保持具
５  板バネとガイド取付け金具
６  保持具ガイド
７  金具取付けボルトナット
８  板バネ
９  ストッパー
１０  復元力微調整用板バネ
１１  板バネ下部Ａ保持具
１２  板バネ下部Ｂ保持具
１３  板バネ下部抜け落ち防止ビスナット
１４  調整板（上下＆角度調整用）
１５  角度調整穴
１６  板バネ下部保持具固定ボルトナット
１７  板バネ下部保持具と上下＆角度調整板の固定ボルトナット
１８  上下＆角度調整板取付けボルト蝶ナット
１９  台
２０  ポスト
２１  上下位置調整取付け穴
２２  横回転用補助具
２３  錘（中身が入ってる２Ｌペットボトル）
【図１】
0005585917.tif 000002
【図２】
0005585917.tif 000003
【図３】
0005585917.tif 000004
【図４】
0005585917.tif 000005
【図５】
0005585917.tif 000006
【図６】
0005585917.tif 000007
【図７】
0005585917.tif 000008
【図８】
0005585917.tif 000009
【図９】
0005585917.tif 000010